(57)【要約】【課題】窓と面格子との間に遮光スクリーンを設けても遮光スクリーンがはためくことがなく、また、遮光スクリーンを簡単に外して掃除または洗浄を行うことができ、遮光スクリーンの巻上げの強さも簡単に調節できる面格子遮光窓を提供する。【解決手段】建物の開口部１）に設けた窓と面格子との間に遮光スクリーン１７を配した遮光面格子において、上記遮光スクリーン１７にはためきを抑える手段２１を着脱自在に取り付けたもので、上記遮光スクリーン１７のはためきを抑える手段２１は、（ａ）上下に配した横桟４８の間に複数の縦桟４９、接続部を回動可能に亘設して平行四辺形状態で変形可能にしたもの、（ｂ）ターンオーパー形アクチュエーター構造を採用したもの、（ｃ）外筒４６にロッド４７を摺動可能に嵌め合わせ、内部にスプリング４５を配して伸長方向に付勢した構造にしたもののいずれかを採用してなる。【選択図】図１
2008025328.tif 000002
【特許請求の範囲】
【請求項１】
建物の開口部（１１）に設けた窓と面格子との間に遮光スクリーン（１７）を配した遮光面格子において、上記遮光スクリーン（１７）にはためきを抑える手段（２１）を着脱自在に取り付けたことを特徴とする遮光面格子。
【請求項２】
上記遮光スクリーン（１７）のはためきを抑える手段（２１）は、（ａ）上下に配した横桟（４８）の間に複数の縦桟（４９）を、接続部で回動可能に亘設して平行四辺形状態で変形可能にしたもの、（ｂ）ターンオーパー形アクチュエーター構造を採用したもの、（ｃ）外筒（４６）にロッド（４７）を摺動可能に嵌め合わせ、内部にスプリング（４５）を配して伸長方向に付勢した構造にしたもの、のいずれかを採用したことを特徴とする請求項１に記載の遮光面格子。
【請求項３】
上記面格子の両端外枠（２３）とその内側の縦桟（１６ａ）とに亘って遮光スクリーン（１７）の両側縁反り返り防止兼斜光遮断板（５６）を付設したことを特徴とする請求項１または２に記載の遮光面格子。
【請求項４】
上記遮光スクリーン（１７）としてロールスクリーンを採用し、ロールスクリーンが巻き込まれた状態で遮光スクリーンユニット（１４）のハウジング（１９）に対して着脱可能にしてなることを特徴とする請求項１乃至３のいずれかに記載の遮光面格子。
【請求項５】
上記遮光スクリーンユニット（１４）のハウジング（１９）に対し着脱可能にしたロールスクリーンを下記（ａ）から（ｆ）からなる構造としたことを特徴とする請求項１ないし４のいずれかに記載の遮光面格子。
記
（ａ）長い筒体（２６）の両端に鍔（２７）を有する栓（２８）を嵌め込み、上記筒体（２６）の内部を、軸受けを構成する部材（２９）でもって長い部分（３０）と短い部分（３１）とに区画し、長い区画部分（３０）の端から上記軸受けを構成する部材（２９）に向けて支持軸（３２）を挿通し、その支持軸（３２）と上記筒体（２６）との間にスクリーン巻き上げ用コイルスプリング（３５）を装填し、短い区画部分（３１）の端から摺動支持軸（３３）を挿通し、この摺動支持軸（３３）をスプリング（３４）によって突き出し方向に付勢してなる遮光スクリーンを巻き上げるスプール（１８）、
（ｂ）上記筒体（２６）の長い区画部分（３０）側の支持軸（２４）に嵌め込まれたカラー（３６）、
（ｃ）上記筒体（２６）の両端から突き出た支持軸（２４）と摺動支持軸（３３）とを支承する軸受け（２５）、
（ｄ）上記スプール（１８）に巻き上げられ、繰り出される遮光スクリーン（１７）、
（ｅ）遮光スクリーン（１７）の下端に取り付けられ、外枠（２３）の案内溝（２０）に嵌まって摺動するスライドシュー（４１）を両端に形成した横桟（４０）、
（ｆ）繰り出された遮光スクリーン（１７）を引き止めるための引っ掛け部材（４２）と引っ掛け爪（４３）
【請求項６】
ロールスクリーンのハウジング（１９）に設けたラチェットホイール（３７）と、これに掛り合う爪（３８）と、このラチェットホイール（３７）に掛け廻されたチェン（３９）、上記ラチェットホイール（３７）の回転によってコイルスプリング（３５）の遮光スクリーンを引き上げる力を調節する手段を付設したことを特徴とする請求項１乃至５のいずれかに記載の遮光面格子。
【請求項７】
上記遮光面格子の外枠（２３）の建物開口部（１１）側に、上方、左・右方から差し込む日差しを遮る遮光板（５０）を付設可能にした請求項１乃至６のいずれかに記載の遮光面格子。
【発明の詳細な説明】
【技術分野】
【０００１】  この発明は、面格子と窓との間に遮光スクリーンを付設した遮光面格子に関する。
【背景技術】
【０００２】  太陽光が差し込むのを防ぐために窓にカーテンやブラインドが設けられるが、早稲田大学理工学部木村研究室の報告によると、窓にブラインドを設けていない部屋のエアコンの稼働率を１００％として、窓の内側にブラインドを設けた場合は７４％、窓の外側にオーニング（日差しを遮るためのテント状ひさし）を設けた場合は３３％である（２００２年８月、岐阜県安八郡神戸町の西向きの部屋）としている。【０００３】  従って、遮光効果を上げるには窓の外側に遮光手段を設けるのが効果的であるといえるが、これまで窓の外側にブラインドやカーテンに相当する遮光スクリーンを設けた例、とりわけ窓と面格子との間に遮光スクリーンを設けた商品は見られず、かろうじて特許庁電子図書館に収録されているデーターの中から特許文献１を見ることができた。【０００４】
【特許文献１】  特開２００１−０６５２７３号公報（要約および選択図面）
【発明の開示】
【発明が解決しようとする課題】
【０００５】  上記のように特許庁電子図書館に収録されたデーターのなかから先行技術が見られたにも拘わらず実用化されていない理由は、窓の外側に遮光スクリーンを設けた場合、風によって遮光スクリーンがはためきガラス窓を叩いて煩くなること、面格子と窓ガラスとの間に遮光スクリーンを設けると、その取り外しが難しく掃除が困難であるなどの理由からであると考えられる。【０００６】  上記の状況に鑑みこの発明は、窓と面格子との間に遮光スクリーンを設けても遮光スクリーンがはためくことがなく、また、遮光スクリーンを簡単に外して掃除または洗浄を行うことができ、遮光スクリーンの巻上げの強さも簡単に調節できる面格子遮光窓を提供することを課題とする。
【課題を解決するための手段】
【０００７】  上記課題を解決するためにこの発明は、建物の開口部１１に設けた窓と面格子との間に遮光スクリーン１７を配した遮光面格子において、上記遮光スクリーン１７にはためきを抑える手段２１を着脱自在に取り付けてなり、上記遮光スクリーン１７のはためきを抑える手段２１は、（ａ）上下に配した横桟４８の間に複数の縦桟４９を、接続部で回動可能に亘設して平行四辺形状態で変形可能にしたもの、（ｂ）ターンオーパー形アクチュエーター構造を採用したもの、（ｃ）外筒４６にロッド４７を摺動可能に嵌め合わせ、内部にスプリング４５を配して伸長方向に付勢した構造にしたもの、のいずれかを採用したものであり、上記遮光スクリーン１７としてロールスクリーンを採用し、ロールスクリーンが巻き込まれた状態で遮光スクリーンユニット１４のハウジング１９に対して着脱可能にしてなる。また、ロールスクリーンのハウジング１９に設けたラチェットホイール３７と、これに掛り合う爪３８と、このラチェットホイール３７に掛け廻されたチェン３９、上記ラチェットホイール３７の回転によってコイルスプリング３５の遮光スクリーンを引き上げる力を調節する手段を付設したものである。【０００８】  また、上記遮光スクリーンユニット１４のハウジング１９に対し着脱可能にしたロールスクリーンを下記（ａ）から（ｆ）からなる構造としたものである。
記
（ａ）長い筒体２６の両端に鍔２７を有する栓２８を嵌め込み、上記筒体２６の内部を、軸受けを構成する部材２９でもって長い部分３０と短い部分３１とに区画し、長い区画部分３０の端から上記軸受けを構成する部材２９に向けて支持軸３２を挿通し、その支持軸３２と上記筒体２６との間にスクリーン巻き上げ用コイルスプリング３５を装填し、短い区画部分３１の端から摺動支持軸３３を挿通し、この摺動支持軸３３をスプリング３４によって突き出し方向に付勢してなる遮光スクリーンを巻き上げるスプール、
（ｂ）上記筒体２６の長い区画部分３０側の支持軸２４に嵌め込まれたカラー３６、
（ｃ）上記筒体２６の両端から突き出た支持軸２４と摺動支持軸３３とを支承する軸受け２５、
（ｄ）上記スプール１８に巻き上げられ、繰り出される遮光スクリーン１７、
（ｅ）遮光スクリーン１７の下端に取り付けられ、外枠２３の案内溝２０に嵌まって摺動するスライドシュー４１を両端に形成した横桟４０、
（ｆ）繰り出された遮光スクリーン１７を引き止めるための引っ掛け部材４２と引っ掛け爪４３
【発明の効果】
【０００９】  上記のごとく構成するこの発明によれば、遮光スクリーンにはためきを抑える手段を設けたので風圧によって遮光スクリーンがはためいて窓を叩くことがなくなる。また、遮光スクリーンのはためきを抑える手段は窓枠から容易に外すことが出来る構造になっているので遮光スクリーンを取り外す障害とはならない。【００１０】  また、遮光スクリーンの巻き取りスプールは、その支持軸が軸方向に伸縮自在になっているので遮光面格子（遮光スクリーンユニット１４のハウジング１９）から容易に外し簡単に掃除・洗浄することができる。【００１１】  さらに、遮光スクリーンの巻上げ力を調整可能にしているので、遮光スクリーンの巻上げ力と遮光スクリーンの下端に取り付けた桟のスライドシューの摺動抵抗とをバランスさせてスムースな上げ下げを可能にしている。
【発明を実施するための最良の形態】
【００１２】  次にこの発明の実施の形態を、図面を参照しながら説明する。
【実施例１】
【００１３】  建物の開口部１１には、扉、網戸等が嵌まるレール１２を形成した窓枠１３が嵌められ、この窓枠１３の前面には面格子１６と遮光スクリーンユニット１４とはためき抑制枠２１とで構成する遮光面格子がブラケット１５を介して取り付けてある。【００１４】  上記遮光スクリーンユニット１４は、遮光スクリーン１７を巻き上げるスプール１８を収容するハウジング１９を上部に備え、繰り出される遮光スクリーン１７の下端に取り付けた桟（４０）を案内する凹溝２０と遮光スクリーン１７のはためき抑制枠２１を嵌める凹溝２２とを形成した外枠２３とからなる。【００１５】  上記ハウジング１９は、上記スプール１８の支持軸２４を支承するベアリング２５を両端に設け、上記スプール１８は、長い筒体２６の両端に鍔２７を有する栓２８を嵌め込み、上記長い筒体２６の内部を、軸受け構成部材２９でもって長い区画部分３０と短い区画部分３１に区画し、長い区画部分３０の端から上記軸受け構成部材２９に向けて支持軸３２を挿通し、短い区画部分３１の端から摺動支持軸３３を挿通し、この摺動支持軸３３をスプリング３４によって突き出し方向に付勢している。【００１６】  上記長い区画部３０側に挿通し支持軸３２と上記筒体２６との間にコイルスプリング３５を装填し、その片端を筒体２６に固定し他端を支持軸３２に固定して遮光スクリーン１７を巻き上げる方向に付勢している。また、図面上の右側軸端にはテーパーコーン状カラー３６を介してラチェットホイール３７が嵌められ、このラチェットホイール３７に爪３８が掛り合いラチェットホイール３７に掛けまわされたチェン３９によりコイルスプリング３５の巻上げ力を調整可能にしている。【００１７】  遮光スクリーン１７の下端には桟４０が取り付けられ、この桟４０の両端は外枠２３の両側内面に形成した凹溝２０に嵌まり合うスライドシュー４１が形成され、繰り出される遮光スクリーン１７を案内するようになり、桟４０の中央には引っ掛け部材４２が取り付けられ、外枠２３の下端に取り付けられた引っ掛け爪４３によって遮光スクリーン１７を最大繰り出した状態を固定するようになっている。【００１８】  図３，図４は、窓枠１３にブラケット１５を介して遮光面格子（遮光スクリーンユニット１４）を取り付けた場合、窓枠１３と遮光面格子（遮光スクリーンユニット１４）との間に隙間ができ、その隙間から陽射しが差し込んで遮光効果が半減してしまう。これを防止するために外枠２３に遮光板５０ａ，５０ｂを嵌め込んでいる。【００１９】  遮光板５０ａ，５０ｂの嵌め込みは、嵌め込み部５１ａ，５１ｂに遮光板５０ａ，５０ｂの縁を支点Ｐ１，Ｐ２を構成するように宛がい矢印の方向に回すと鉤部Ｋ１，Ｋ２が嵌め込み部５１ａ，５１ｂに引っ掛って完了する。なお、５２は嵌め込み部分に生ずる隙間をカバーするフェルトである。【００２０】  上記実施例では、遮光スクリーン１７が窓枠１３の下まで繰り出されているとき、遮光スクリーン１７のはためき抑制枠２１によって押さえられるので、風が吹いてもはためくことがなく、また、遮光スクリーン１７が汚れたときは、図６の如くはためき抑制枠２１が平行四辺形に変形するのではためき抑制枠２１が外枠２３から容易に外すこと��でき、遮光スクリーン１７の巻き取りスプール１８の摺動支持軸３３をスプリング３４の付勢に抗して押し込むことによりハウジング１９から容易に外すことができ、ハウジング１９から外した遮光スクリーン１７の掃除・洗浄をすることができる。なお、凹溝２０の上端では切り込みＣを入れて遮光スクリーン１７の下端の横桟４０を抜き取り易くし、また、はためき抑制枠２１の両端には前記切り込みＣの目隠し片Ｂを付設している。
【実施例２】
【００２１】  実施例１では、遮光スクリーンのはためき抑制枠は、その枠を平行四辺形に変形させて外枠から外すようにしたが、この実施例では図７に示すように基枠４４に屈折点ａ，ｂ，ｃ，ｄを設け、屈折点ｂとｃを繋いでいるロッド４４ｂを二重構造とし、このロッド４４ｂ内にコイルスプリング４５を装填し、長さ方向に付勢することによりターンオーバー形のアクチユエーター構造としたものである。【００２２】  このように構成するこの実施例ではコイルスプリング４５の付勢に抗して遮光スクリーンのはためき抑制枠２１を窓側に押し付けるとその状態が維持され、逆に押し返すとはためき抑制枠２１はフリーになって外枠２３から簡単に外すことが可能になる。
【実施例３】
【００２３】  この実施例のはためき抑制枠２１は、その縦方向の基枠４４を構成するパイプを二重構造とし、その二重構造のパイプ４６内にコイルスプリング４５を装填して、基枠４４が縦方向に伸長するように付勢し、はためき抑制枠２１を基枠４４（外枠２３に相当する）から外すことが可能になる。
【実施例４】
【００２４】  図９に示すようにこの実施例は、面格子１６の両端外枠２３とその内側の（断面Ｓ形、逆Ｓ形の）縦桟１６ａとに亘って、遮光スクリーン１７の両側縁が反り返るのを防止し、斜光を遮る反り返り防止兼斜光遮断板５６を付設したものである。このように構成することにより、遮光スクリーン１７の両側縁の反り返りを強力に抑え、斜め方向からの日差しを広く遮ることができるようになる。【００２５】  この用に構成することにより、コイルスプリング３５により巻き戻される遮光スクリーン１７に制動力が働いて衝撃が緩和される。とりわけ遮光スクリーン１７が巻き太るに従って制動力が大きくなるので遮光スクリーン１７の下端とそれに取り付けられた桟４０への衝撃が緩和されて損傷を防止することができる。
【実施例５】
【００２６】  図１０に示すようにこの実施例は、はためき抑制枠２１の下端にピン５８を設け、外枠２３の下部にピン５８を支承する支持部材５７を取り付けて、この支持部材５７の受け溝５７ａに、上記ピン５８を嵌め入れ、このピン５８を軸にしてはためき抑制枠２１を回動可能にしている。【００２７】  はためき抑制枠２１を直立するように回動させるとハウジング１９の鉤５９ａにはためき抑制枠２１の鉤５９ｂの傾斜面を滑って持ち上がり掛け止めされる。逆にはためき抑制枠を外すときは全体を持ち上げてピン５８を軸に回動させる。【００２８】  この機構は、建築技術分野でいうケンドン構造の変形であるが、襖、障子等で採用される一般的なケンドン構造も適宜採用することができる。
【産業上の利用可能性】
【００２９】  以上説明したようにこの発明によれば、窓枠と面格子との間に遮光スクリーンを配し、その遮光スクリーンが風によってはためくことがなく、遮光スクリーンが汚れたときははためき抑制枠を外枠から外し、遮光スクリーンを巻き込んだスプールごとハウジングから外して簡単に掃除・洗浄することが可能になり、プライバシーの保護、保安の確保、安全・衛生の確保が可能となる。
【図面の簡単な説明】
【００３０】
【図１】実施例１に係る窓枠に取り付け直前の遮光面格子の縦断面図
【図２】同窓枠に取り付けられた遮光面格子の横断面図
【図３】遮光面格子の上側に嵌まる遮光板の部分拡大断面図
【図４】遮光面格子の左右両側に嵌まる遮光板の部分拡大断面図
【図５】同遮光スクリーン巻上げ構造説明図
【図６】はためき抑制枠の正面図
【図７】実施例２に係るはためき抑制枠の離脱機構説明図
【図８】実施例３に係るはためき抑制枠の離脱機構説明図
【図９】実施例４に係る反り返り防止兼斜光遮断板を取り付けた面格子の断面図
【図１０】実施例５に係る要部（ａ）縦断面図、（ｂ）斜視図
【符号の説明】
【００３１】１１  開口部
１２  リール
１３  窓枠
１４  遮光スクリーンユニット
１５  ブラケット
１６  面格子
１６ａ  縦桟（斜光遮断板用）
１７  遮光スクリーン
１７ｊ  継ぎ合わせ部
１７ｐ  遮光スクリーンの）筒状部
１８  スプール
１９  ハウジング
２０  凹溝（スクリーン案内）
２１  はためき抑制枠
２２  凹溝（はためき抑制枠の）
２３  外枠
２４  支持軸（スプールの）
２５  ベアリング
２６  （長い）筒体
２６ａ  隔壁
２６ｂ  スリット
２６ｃ  小区画部分
２６ｄ  大区画部分
２７  鍔
２８  栓
２９  軸受け構成部材
３０  長い区画部
３１  短い区画部
３２  支持軸
３３  摺動支持軸
３４  スプリング
３５  コイルスプリング
３６  （テーパーコーン状の）カラー
３７  ラチェットホイール
３８  爪
３９  チェン
４０  桟
４１  スライドシュー
４２  引っ掛け部材
４３  引っ掛け爪
４４  基枠
４４ｂ  ロッド
４５  コイルスプリング
４６  外筒
４７  ロッド
４８  横桟
４９  縦桟
５０ａ，５０ｂ  遮光板
５１ａ，５１ｂ  嵌め込み部
５２  フェルト
５３  制動板
５４  扁平部材
５５  切り欠き
５６  反り返り防止兼斜光遮断板
Ｋ１，Ｋ２  鉤部
Ｐ１，Ｐ２  支点
Ｂ  目隠し
Ｃ  切り込み
【図１】
2008025328.tif 000003
【図２】
2008025328.tif 000004
【図３】
2008025328.tif 000005
【図４】
2008025328.tif 000006
【図５】
2008025328.tif 000007
【図６】
2008025328.tif 000008
【図７】
2008025328.tif 000009
【図８】
2008025328.tif 000010
【図９】
2008025328.tif 000011
【図１０】
2008025328.tif 000012